(57)【要約】【課題】  ベンチレータアウトレット部とダクト部との間の空間に流れ込む風量を調節できてバルブ部のバタツキを防止できると共に、その空間内に水や塵埃などの浸入を防止できるような車両の換気構造を提供する。【解決手段】  換気装置１のベンチレータアウトレット部３から換気装置１のカバー部材５の側に向けて突出する第１のリブ１０をベンチレータアウトレット部３に設けると共に、車両上下方向から見て、カバー部材５の下方の開口７を覆う位置であって、かつ、下方の開口７と車両上下方向において間隔を隔てた位置に第１のリブ１０を配置する。【選択図】        図３
2006335087.tif 000002
【特許請求の範囲】
【請求項１】
リヤバンパ裏側となる車体後方箇所に車幅方向に沿って延びるテールエンドメンバを配設し、車室内の空気を車外に排出する換気装置を前記テールエンドメンバに取付けた車両の換気構造において、
前記換気装置は、換気窓を有するベンチレータアウトレット部と、前記ベンチレータアウトレット部に上端側が回動可能に取付けられて前記換気窓を覆い、かつ、空気圧の作用により下端側が外方に回動して前記換気窓を開放する薄膜のバルブ部と、前記バルブ部及び前記ベンチレータアウトレット部を覆うように配置され、かつ、下方と車幅方向とにそれぞれ向けて開放された開口を形成するカバー部材とを備え、
前記ベンチレータアウトレット部から前記カバー部材の側に向けて突出する第１のリブを前記ベンチレータアウトレット部に設けると共に、
車両上下方向から見て、前記下方の開口を覆う位置であって、かつ、前記下方の開口と車両上下方向において間隔を隔てた位置に前記第１のリブを配置したこと、
を特徴とする車両の換気構造。
【請求項２】
前記下方の開口にダクト部を設けると共に、前記ダクト部から前記ベンチレータアウトレット部の側に向けて突出して前記ダクト部の開口を部分的に塞ぐ第２のリブを前記ダクト部に設け、
前記第１のリブと前記第２のリブとを車両上下方向において間隔を隔てた位置で互いにオーバーラップさせた状態で配置したこと、
を特徴とする請求項１に記載の車両の換気構造。
【請求項３】
前記ベンチレータアウトレット部に設けられた前記第１のリブを、車両上下方向で前記バルブ部よりも下方であってかつ前記ダクト部に設けられた前記第２のリブに対して上方に配置したことを特徴とする請求項２に記載の車両の換気構造。
【請求項４】
前記リヤバンパの下端を、前記テールエンドメンバよりも車両上下方向の下方に配置すると共に、車両前後方向の前方側に屈曲した屈曲部とし、
前記リヤバンパの側端を車体の側方に回り込んで前方に延出される延出部とし、
前記リヤバンパには、前記リヤバンパを前記テールエンドメンバ側にへこませることにより、ライセンスプレートの取付位置となるライセンスプレート配置部を形成し、
前記延出部と前記ライセンスプレート配置部と前記屈曲部とによって囲まれた空間に前記換気装置を配置したこと、
を特徴とする請求項１乃至３の何れか１項に記載の車両の換気構造。
【発明の詳細な説明】
【技術分野】
【０００１】
本発明は、車室内の空気を車外に排出するための車両の換気構造に関する。
【背景技術】
【０００２】
自動車にあっては、通常、リヤバンパ裏側となる車体後方箇所に車幅方向に沿って延びるテールエンドメンバが配設され、車室内の空気を車外に排気する換気装置（ベンチレータ）がテールエンドメンバに取付けられている（例えば、特許文献１参照）。
【０００３】
図７に示すように、換気装置２０は、換気窓２１ａを有するベンチレータアウトレット部２１と、換気窓２１ａを覆う薄膜のバルブ部２２と、ベンチレータアウトレット部２１及びバルブ部２２を覆うように配置されたカバー部材２３とで構成されている。そして、この換気装置２０は、車体の後部を構成するテールエンドメンバ２４にベンチレータアウトレットシール２５を介して取付けられており、このベンチレータアウトレットシール２５を換気装置２０とテールエンドメンバ２４との間に介在させることにより換気装置２０とテールエンドメンバ２４との接触力が分散されるようになっている。
【０００４】
また、上述のカバー部材２３には、下方に向けて開放された開口２６（図１参照）と車幅方向に向けて開放された開口（図示せず）とがそれぞれ設けられている。すなわち、車室内に進入した雨水などを排出する目的、並びに、排気面積を確保する目的のために、下方に向けて開放された開口が設けられると共に、排気面積を充分に確保する目的のために、車幅方向に向けて開放された開口（図示せず）が設けられている。
【特許文献１】特開２００５−８１８８２号公報
【発明の開示】
【発明が解決しようとする課題】
【０００５】
上述のような換気装置２０を用いた従来の換気構造にあっては、車両の走行による風（走行風）によって図８において矢印で示すように開口２６を通して逆流（乱流）空気２７が、換気装置の中に流れ込むことがある。この逆流空気２７の流れ込みに伴って、この逆流空気２７の空気圧やバルブ部２２に直接風が当たることによってバルブ部２２が図示のように車外方向に開き、その後にバルブ部２２が元の閉塞位置に戻るときにバルブ部２２がベンチレータアウトレット部２１にぶつかって異音（バルブ部２２のバタツキによる異音）が発生し、この異音により乗員に不快感を与えてしまうという問題がある。また、走行中における車室内への逆流空気２７の流れ込みの問題、車室内への逆流空気２７の流れ込みに伴う車室内への塵埃や水の浸入、車室内への逆流空気２７の流れ込みに伴う車室内への風音の侵入、バルブ部２２が開位置に配置されて換気窓２が開状態になることに伴う車外音の侵入などの問題が生じる虞もある。
【０００６】
本発明は、このような問題を解消すべくなされたものであって、その目的は、ベンチレータアウトレット部とダクト部との間の空間に流れ込む風量を調節できてバルブ部のバタツキを防止できると共に、その空間内に水や塵埃などの浸入を防止でき、走行に伴う風の影響を少なくすることができる車両の換気構造を提供することにある。
【課題を解決するための手段】
【０００７】
上述の目的を達成するために、本発明では、リヤバンパ裏側となる車体後方箇所に車幅方向に沿って延びるテールエンドメンバを配設し、車室内の空気を車外に排出する換気装置を前記テールエンドメンバに取付けた車両の換気構造において、前記換気装置は、換気窓を有するベンチレータアウトレット部と、前記ベンチレータアウトレット部に上端側が回動可能に取付けられて前記換気窓を覆い、かつ、空気圧の作用により下端側が外方に回動して前記換気窓を開放する薄膜のバルブ部と、前記バルブ部及び前記ベンチレータアウトレット部を覆うように配置され、かつ、下方と車幅方向とにそれぞれ向けて開放された開口を形成するカバー部材とを備え、前記ベンチレータアウトレット部から前記カバー部材の側に向けて突出する第１のリブを前記ベンチレータアウトレット部に設けると共に、車両上下方向から見て、前記下方の開口を覆う位置であって、かつ、前記下方の開口と車両上下方向において間隔を隔てた位置に前記第１のリブを配置している。
また、本発明では、前記下方の開口にダクト部を設けると共に、前記ダクト部から前記ベンチレータアウトレット部の側に向けて突出して前記ダクト部の開口を部分的に塞ぐ第２のリブを前記ダクト部に設け、前記第１のリブと前記第２のリブとを車両上下方向において間隔を隔てた位置で互いにオーバーラップさせた状態（段違いの配置関係）で配置している。
また、本発明では、前記ベンチレータアウトレット部に設けられた前記第１のリブを、車両上下方向で前記バルブ部よりも下方であってかつ前記ダクト部に設けられた前記第２のリブに対して上方に配置している。
また、本発明では、前記リヤバンパの下端を、前記テールエンドメンバよりも車両上下方向の下方に配置すると共に、車両前後方向の前方側に屈曲した屈曲部とし、前記リヤバンパの側端を車体の側方に回り込んで前方に延出される延出部とし、前記リヤバンパには、前記リヤバンパを前記テールエンドメンバ側にへこませることにより、ライセンスプレートの取付位置となるライセンスプレート配置部を形成し、前記延出部と前記ライセンスプレート配置部と前記屈曲部とによって囲まれた空間に前記換気装置を配置している。
【発明の効果】
【０００８】
請求項１に記載の本発明は、バルブ部及びベンチレータアウトレット部を覆うように配置され、かつ、下方と車幅方向とにそれぞれ向けて開放された開口を形成するカバー部材とを備え、ベンチレータアウトレット部からカバー部材の側に向けて突出する第１のリブを前記ベンチレータアウトレット部に設けると共に、車両上下方向から見て、下方の開口を覆う位置であって、かつ、下方の開口と車両上下方向において間隔を隔てた位置に第１のリブを配置したものであるから、カバー部材によって走行風の換気装置への影響を減少させることができる。また、下方の開口と車両上下方向において間隔を隔てた位置に第１のリブを配置したので、開口から吹き込む風が直接バルブ部に影響を与えることを防止できると共に、吹き込む風の勢いを抑えることができる。
【０００９】
また、請求項２に記載の本発明は、下方の開口にダクト部を設けると共に、ダクト部からベンチレータアウトレット部の側に向けて突出してダクト部の開口を部分的に塞ぐ第２のリブを前記ダクト部に設け、第１のリブと前記第２のリブとを車両上下方向において間隔を隔てた位置で互いにオーバーラップさせた状態で配置するようにしたものであるから、ダクト部の存在により開口へ吹き込む風の方向を規制し、上述の第１のリブと第２のリブの存在により、ベンチレータアウトレット部とカバー部材との間の空間に流れ込む風量を調節できると共に、ラビリンス効果（作用）にてその空間内への水や挨の浸入を防止することができる。さらに、互いに間隔をおいてオーバーラップして配置されている第１のリブ及び第２のリブのラビリンス効果（作用）にて風量を調節することにより、バルブ部のバタツキを防止することができ、ひいてはバルブ部のバタツキに伴う異音の発生を防止することができる。
【００１０】
また、請求項３に記載の本発明は、ベンチレータアウトレット部に設けられた第１のリブを、車両上下方向で前記バルブ部よりも下方であってかつダクト部に設けられた第２のリブに対して上方に配置するようにしたものであるから、バルブ部の近傍位置に第１のリブを配置することができるので、ベンチレータアウトレット部とカバー部材との間の空間における風の流れ経路をバルブ部から離れた位置にすることができ、バルブ部ヘの風の流れによる影響を減少させることができる。また、車両走行時の風は、リヤバンパの内側面に沿って流れると考えられるが、下側となる第２のリブがダクト部からベンチレータアウトレット部の側に向けて突出している配置により、その開口はベンチレータアウトレット部の側に位置することとなり、開口がリヤバンパから離れる位置となるため、開口への走行風の影響を減少させることができる。
【００１１】
また、請求項４に記載の本発明は、リヤバンパの下端を、テールエンドメンバよりも車両上下方向の下方に配置すると共に、車両前後方向の前方側に屈曲した屈曲部とし、リヤバンパの側端を車体の側方に回り込んで前方に延出される延出部とし、リヤバンパには、リヤバンパをテールエンドメンバ側にへこませることにより、ライセンスプレートの取付位置となるライセンスプレート配置部を形成し、延出部とライセンスプレート配置部と屈曲部とによって囲まれた空間に換気装置を配置するようにしたものであるから、次のような作用効果を奏することができる。すなわち、リヤバンパの延出部とライセンスプレート配置部と屈曲部とによって囲まれた空間では、車両の走行によって風が発生すると共に空気の圧力が高くなり、バルブ部の開閉に影響が出たり、その開閉が円滑に行われないことがあるが、このような位置に本発明の換気装置を配置すると、前記空間における風の流れを抑制できるため、バルブ部の開閉を円滑に行わしめることができて良好な換気作用を得ることができる。さらに、上述の空間内の空気（走行風）は、ライセンスプレートを照らすランプのために設けられた開孔から流れ出ることとなるが（走行速度にもよるが風の流れの勢いは比較的に強い）、このような位置に換気装置を配置してもバルブ部の開閉を円滑に行わしめることができて良好な換気作用を得ることができる。
【発明を実施するための最良の形態】
【００１２】
以下、本発明の一実施形態に係る車両の換気構造について図１〜図６を参照して説明する。
【００１３】
図１及び図２は、車室内の空気を車外に排出する換気装置１の取付箇所を示すものであって、リヤバンパ裏側となる車体後方箇所に車幅方向に沿って延びるテールエンドメンバ６が車体の一部として配設されており、換気装置１がこのテールエンドメンバ６に設けられた孔に取付けられるようになっている。
【００１４】
本実施形態の換気構造に用いられる換気装置１は、図３及び図４に示すように、換気窓２を有するベンチレータアウトレット部３と、このベンチレータアウトレット部３に上端側が回動可能に取付けられて換気窓２をベンチレータアウトレット部３の外側において覆い、かつ、空気圧の作用により下端側が外方に回動して前記換気窓を開放する樹脂製薄膜のバルブ部４と、このバルブ部４及びベンチレータアウトレット部３を覆うように配置され、かつ、下方に向けて開放された開口７と車幅方向のほぼ中央箇所において車幅方向に向けて開放された開口（図示せず）を形成するカバー部材５とを備えている。
【００１５】
本実施形態の換気装置１の上記開口は、ベンチレータアウトレット部３とカバー部材５の合わせ部分に設けられ、ベンチレータアウトレット部３とカバー部材５との間に間隔をあけた開放部分を設けることで形成されている。さらに、下方に向けて開放された開口７では、ベンチレータアウトレット部３の下端を延長した下端縁部３ａとカバー部材５の開口縁部を下方に垂下させた垂下片部５ａによって、ダクト部が構成されている（図４参照）。こうすることで、開口やダクト部およびリブを容易に形成できる。また、車幅方向に向けて開放された開口は、ライセンスプレートを照らすランプのために設けられたリヤバンパ１２の開孔近傍に配置されて、リヤバンパ１２内の走行風の影響（特に、リヤバンパ１２内の圧力の上昇）が換気装置に及ぶことを防止している。上述のベンチレータアウトレット部３及びカバー部材５は、樹脂成形品から成るものであって、ベンチレータアウトレット部３には第１のリブ１０が一体成形されており、ダクト部には第２のリブ１１が一体成形されている。さらに具体的に述べると、図４に明示するように、ベンチレータアウトレット部３の下端縁部３ａには、ベンチレータアウトレット部３からカバー部材５の側に向けて突出し、車両の上下方向から見て、カバー部材５の下方の開口７を覆う位置であって、かつ、前記下方の開口と車両上下方向において間隔を隔てた位置に第１のリブ１０が設けられると共に、カバー部材５の開口７にダクト部を構成する垂下片部５ａが形成され、垂下片部５ａからベンチレータアウトレット部３の側に向けて突出する第２のリブ１１が設けられている。このようにリブ１０，１１を形成することによって、型構成が簡単となり生産性が向上する。そして、図３及び図４に示すように、ベンチレータアウトレット部３に設けられた第１のリブ１０が、車両上下方向でバルブ部４よりも下方であってかつダクト部に設けられた第２のリブ１１に対して上方に配置され、これらの第１のリブ１０及び第２のリブ１１が、車両上下方向において間隔を隔てた位置で互いにオーバーラップされた状態で配置されている。つまり、第１のリブ１０及び第２のリブ１１は、車両の上下方向から見て少なくともその一部が重なる位置に配置されている。かくして、第１及び第２のリブ１０，１１は、車両上下方向における段違いの配置関係をもって互いにオーバーラップした状態で配置されるようになっている。
【００１６】
また、図４に明示する如く、第１のリブ１０の先端（突出端）は、カバー部材５の裏面から一定の隙間Ｌ1だけ距離を隔てた位置に配置されると共に、第２のリブ１１の先端（突出端）は、ベンチレータアウトレット部３の下端から一定の隙間Ｌ2だけ距離を隔てた位置に配置されている。バルブ部４の近傍位置に第１のリブ１０を配置したので、ベンチレータアウトレット部３とカバー部材５との間の空間における風の流れがカバー部材５の裏面側となり、風の流れをバルブ部４から離れた位置にすることができ、バルブ部４ヘの風の流れによる影響を減少させることができる。なお、本実施形態であっては、第２のリブ１１とベンチレータアウトレット部３との間の隙間（幅Ｌ2）は、第１のリブ１０とカバー部材５の裏面との間の隙間（幅Ｌ1）よりも狭くなるように設定されている（Ｌ1＞Ｌ2）。かくして、ダクト部の下方の開口７は、その大部分が第２のリブ１１によって塞がれており、幅Ｌ1，Ｌ2をそれぞれ有する比較的狭い隙間部分が換気装置１における排気面積の一部として寄与するように換気用の通路が構成されている。
【００１７】
ここで、換気装置１の配設位置について述べると、次の通りである。まず、図３に示す如く、リヤバンパ１２の下端は、テールエンドメンバ６の下端よりも車両上下方向の下方に配置されており、その下端が車両前後方向の前方側に屈曲成形された屈曲部１３となされている。一方、リヤバンパ１２の側端部は、車体の側方に回り込んで前方に延出される延出部１４となされている（図２及び図６参照）。また、リヤバンパ１２の上端は、車両前後方向の前方側に屈曲成形されてテールエンドメンバ６に接近配置されている。そして、リヤバンパ１２には、このリヤバンパ１２をテールエンドメンバ６側にへこませることにより、ライセンスプレートの取付位置となるライセンスプレート配置部（凹部）１５が形成されており（図２，図５及び図６参照）、延出部１４とライセンスプレート配置部１５と屈曲部１３及びリヤバンパ１２の上端とによって囲まれた空間Ｓ（図６参照）に換気装置１が配置されるようになっている。なお、リヤバンパ１２の下端がテールエンドメンバ６の下端よりも車両上下方向の下方に配置されているので、車両の走行に伴う走行風が空間Ｓ（リヤバンパ１２の裏側）に吹き込むこととなるが、この空間Ｓは延出部１４とライセンスプレート配置部１５と屈曲部１３とリヤバンパ１２の上端とによって囲まれているため、この空間Ｓ内の気圧は車室内の気圧よりも高圧になる。換気装置１は空気圧の作用によって開閉するものであるため、リヤバンパ裏の高圧は換気装置１の働き（機能）に影響を及ぼして、空調装置による車室内への外気導入に支障を生じる虞がある。しかし、第１及び第２のリブ１０，１１の存在により、高圧の逆流空気の流入が抑えられるため、このような支障が生じるのを回避し得る。
【００１８】
このような構成の換気構造によれば、換気装置１のベンチレータアウトレット部３及びカバー部材５に第１及び第２のリブ１０，１１（段違い配置で互いにオーバーラップさせたリブ）を追加して設けるようにしているので、開口７における換気用の通路は、ダクト部の開口領域，第２のリブ１１とベンチレータアウトレット部３との間の隙間，第１のリブ１０と第２のリブ１１との間の領域，及び第１のリブ１０とカバー部材５の裏面との間の隙間を順次に通る経路となり、第１のリブ及び第２のリブ１０，１１のラビリンス効果により換気装置１内への逆流空気１６（図４参照）の侵入を抑えることができると共に、その勢いを抑えることができる。従って、車室内の空気を排気する機能を妨げる要因がなくなるため、結果として、換気装置１の性能の低下を防ぐことができる。また、第１のリブ及び第２のリブのラビリンス効果にて風量を調節することにより、バルブ部４のバタツキの防止、ひいてはバルブ部４のバタツキに伴う異音の発生を防止することができる。すなわち、逆流空気が換気装置１を通して車室内に侵入することが少なく、バルブ部４が逆流空気の圧力（負圧）により開くのを抑えることができるため、その結果として、バルブ部４がベンチレータアウトレット部３と接触する際に発生する異音を抑えることができる。また、開口７の大部分を第２のリブ１１にて塞いで第２のリブ１１とベンチレータアウトレット部３との間の隙間を狭くするようしているので、逆流空気に混ざっている雪，枯葉，雨水などがベンチレータアウトレット部３の下方の開口７を通して逆流空気と一緒に車室内へ侵入するなどの不具合を回避することができる。
【００１９】
また、本実施形態の換気構造によれば、第１のリブ１０とカバー部材５との間の隙間（幅Ｌ1）を第２のリブ１１とベンチレータアウトレット部３との間の隙間（幅Ｌ2）よりも相対的に広くなるように設定するようにしているので（Ｌ1＞Ｌ2）、必要な排気面積を確保することができ、開口７を通して車外へ排出される空気の流れをスムースにすることができる。従って、第１及び第２のリブ１０，１１を設けたことに起因して換気機能に悪影響を及ぼすような不具合を生じることはない。また、ダクト部の下方の開口７の大部分を第２のリブ１１にて覆っているものの、開口７を完全に塞ぐようにしていないため、換気性能を大幅に衰えさせることがなく、雨水や雪などの排出機能をも果たすことができる。さらに、段違い配置の関係をもって互いにオーバーラップさせた第１及び第２のリブ１０，１１の存在により、逆流空気（乱流空気）を整流することができ、換気作用を良好に行うことができる。
【図面の簡単な説明】
【００２０】
【図１】本発明の一実施形態に係る車両の換気構造を備えた車体後部を示す斜視図である。
【図２】車体後部のテールエンドメンバに取付けられた換気装置を示す車体の背面図である。
【図３】図２におけるＡ−Ａ線拡大断面図である。
【図４】換気装置の断面図である。
【図５】図２におけるＢ−Ｂ線拡大断面図である。
【図６】図２におけるＣ−Ｃ線拡大断面図である。
【図７】従来の換気構造に用いられる換気装置の断面図である。
【図８】図７の換気装置に逆流空気が流れ込んだときの状態を示す換気装置の断面図である。
【符号の説明】
【００２１】
１  換気装置
２  換気窓
３  ベンチレータアウトレット部
４  バルブ部
５  カバー部材
６  テールエンドメンバ
７  開口
１０  第１のリブ
１１  第２のリブ
１２  リヤバンパ
１３  屈曲部
１４  延出部
１５  ライセンスプレート配置部
Ｓ  空間
【図１】
2006335087.tif 000003
【図２】
2006335087.tif 000004
【図３】
2006335087.tif 000005
【図４】
2006335087.tif 000006
【図５】
2006335087.tif 000007
【図６】
2006335087.tif 000008
【図７】
2006335087.tif 000009
【図８】
2006335087.tif 000010